(57)【特許請求の範囲】
【請求項１】
車両用ブロワのブロワモータ（Ｍ）に接続される複数の抵抗素子（１０乃至３０）を備え、
これら抵抗素子の前記ブロワモータへの直列接続数又は使用する抵抗素子を切り換えることで前記ブロワモータへの印加電圧を段階的に調整するブロワ抵抗器において、
前記複数の抵抗素子が、それぞれ、独立した帯状の抵抗箔からなり、
これら各抵抗箔が、絶縁板（９０）を挟むようにこの絶縁板に沿い折り曲げられており、
さらに、前記各抵抗箔の折り曲げにより前記絶縁板（９０）を挟み込んだものを別の一対の絶縁板（１００、１１０）により挟持することを特徴とする車両用ブロワ抵抗器。
【請求項２】
車両用空調装置のエアダクト内に配置したブロワのブロワモータ（Ｍ）に接続される複数の抵抗素子（１０乃至３０）を備え、
これら抵抗素子の前記ブロワモータへの直列接続数又は使用する抵抗素子を切り換えることで前記ブロワモータへの印加電圧を段階的に調整するように、前記エアダクト中に配置されたブロワ抵抗器において、
前記複数の抵抗素子が、それぞれ、独立した帯状の抵抗箔からなり、
これら各抵抗箔が、絶縁板（９０）を挟むようにこの絶縁板に沿い折り曲げられており、
さらに、前記各抵抗箔の折り曲げにより前記絶縁板（９０）を挟み込んだものを別の一対の絶縁板（１００、１１０）により挟持することを特徴とする車両用ブロワ抵抗器。
【請求項３】
前記複数の抵抗素子と直列に、過大電流が流れたときに開状態となるヒューズ（４０）が接続されていることを特徴とする請求項１または２に記載の車両用ブロワ抵抗器。
【発明の詳細な説明】
【０００１】
【発明の属する技術分野】
本発明は、車両用ブロワ抵抗器に関する。
【０００２】
【従来の技術】
従来、この種のブロワ抵抗器としては、実開平２−１４５５０６号公報にて示すようなものがある。
このブロワ抵抗器においては、ブロワモータに接続すべき複数の抵抗素子が、一枚の平面状の抵抗箔にエッチング若しくは打ち抜きを施こすことで、所定の抵抗パターン形状の抵抗集合体として形成されている。
【０００３】
【発明が解決しようとする課題】
しかし、上記ブロワ抵抗器では、上述のごとく、抵抗集合体を一枚の限られた平面状の抵抗箔から所定の抵抗パターン形状に形成するため、この抵抗パターン形状が複雑になる。
また、抵抗集合体がその通電による発熱や磁力で伸縮したとき、この抵抗集合体に角部があると、この角部に応力が集中し、抵抗集合体が当該角部近傍で破断し易い。
【０００４】
さらに、抵抗集合体の一部の抵抗値を変更したい場合にも、変更を必要としない部分をも含めて、新たな抵抗集合体としての抵抗パターン形状を設計し直さなければならず、抵抗集合体の部分変更が迅速にできず、コスト高を招く。
そこで、本発明は、以上のようなことに対処するため、各抵抗素子を互いに独立した帯状形状とする車両用ブロワ抵抗器を提供することを目的とする。
【０００５】
【課題を解決するための手段】
上記目的を達成するため、請求項１及び２に記載の発明によれば、複数の抵抗素子が、それぞれ、独立した帯状の抵抗箔からなり、これら各抵抗箔が、絶縁板を挟むようにこの絶縁板に沿い折り曲げられており、さらに、各抵抗箔の折り曲げにより絶縁板を挟み込んだものを別の一対の絶縁板により挟持している。このように、各抵抗素子が互いに独立した帯形状となっている。
【０００６】
このため、各抵抗素子の形状が簡単となるのは勿論のこと、各抵抗素子がその通電により伸縮しても、各抵抗素子の一部に応力が集中することはなく、各抵抗素子が部分的に破断することもない。
さらに、ブロワ抵抗器の抵抗値を変更したい場合にも、変更を必要としない抵抗素子とは無関係に、変更したい抵抗素子の形状のみを設計変更することで済む。このため、ブロワ抵抗器の抵抗素子の部分変更を迅速に行えるとともにコストの低減にも役立つ。
【０００７】
ここで、請求項２に記載のように、ブロワ抵抗器がエアダクト内に配置されていれば、エアダクト内の通風による各抵抗素子の空冷を確保しつつ請求項１に記載の発明の作用効果を達成できる。
また、請求項３に記載の発明では、複数の抵抗素子と直列に、過大電流が流れたときに開状態となるヒューズ（４０）が接続されている。これにより、過大電流による異常な温度上昇を防止できる。
【０００８】
【発明の実施の形態】
以下、本発明の一実施形態を図面に基づいて説明する。
図１は、本発明に係るブロワ抵抗器Ｒが、車両用空調装置に装備されるブロワの駆動用直流モータ（以下、ブロワモータＭという）に適用された回路構成を示している。
【０００９】
ブロワ抵抗器Ｒは、ブロワモータＭ及びバッテリＢと直列接続した三本の抵抗素子１０、２０、３０及び板ばね状のヒューズ４０を備えている。
各抵抗素子１０乃至３０及びヒューズ４０とバッテリＢの負側電極との間には、切り換えスイッチ機構Ｓが接続されている。
この切り換えスイッチ機構Ｓは、切り換え接点Ｓ１及び５つの固定接点Ｓ２乃至Ｓ６を備えており、切り換え接点Ｓ１は、バッテリＢの負側電極に接続されている。また、各固定接点Ｓ２乃至Ｓ５は、それぞれ、ヒューズ４０とブロワモータＭとの共通端子、両抵抗素子１０、２０の共通端子、両抵抗素子２０、３０の共通端子及び抵抗素子３０の残りの端子に接続されている。なお、固定接点Ｓ６はオフ端子である。
【００１０】
しかして、切り換えスイッチ機構Ｓにおいては、切り換え接点Ｓ１を固定接点Ｓ２から固定接点Ｓ５にかけて順次切り換え接続すると、バッテリＢとブロワモータＭとの間にてブロワモータＭに直列接続される抵抗素子の数が段階的に増大する。このため、ブロワモータＭに直列接続される抵抗素子の抵抗値も同様に段階的に増大する。
【００１１】
このことは、バッテリＢによりブロワモータＭに印加される電圧が段階的に低下することを意味する。これにより、ブロワモータＭの回転速度が段階的に低下する。
次に、ブロワ抵抗器Ｒの構成について図２乃至図６を参照して詳細に説明する。
【００１２】
ブロワ抵抗器Ｒは、上記空調装置のエアダクト内にて上記ブロワの送風空気流の流れる位置に配設されている。
このブロワ抵抗器Ｒは、図２乃至図４にて示すごとく、基板５０及び上側放熱板６０を備えており、基板５０は上記エアダクトの内壁に固定されている。なお、基板５０のコネクタ５１（図３及び図４参照）は、上記エアダクトの壁部を介し外部に突出している。
【００１３】
上側放熱板６０は、その長方形状の上壁６１の四隅からＬ字状に延出する各脚部６２にて、基板５０の上壁段部５２上に固着されており、上壁６１は、当該上壁段部５２に対向して並行に位置している。
また、ブロワ抵抗器Ｒは、四本のターミナル７０ａ乃至７０ｄを備えており、これら各ターミナル７０ａ乃至７０ｄは、その基部にて、基板５０の上壁段部５２の各貫通孔部５２ａ乃至５２ｄ内に挿入固定されている。なお、各ターミナル７０ａ乃至７０ｄの基部は、コネクタ５１の外部回路接続用端子としての役割をそれぞれ果たす。
【００１４】
また、ブロワ抵抗器Ｒは、下側放熱板８０を備えており、この下側放熱板８０は、上側放熱板６０の各側縁からＬ字状に延出する袖壁６３のカシメ用突起６３ａによって並行に取り付けられている。
また、ブロワ抵抗器Ｒは、帯状抵抗体Ｒａを備えており、この抵抗体Ｒａは、両放熱板６０、８０の間に挟持されている。
【００１５】
帯状抵抗体Ｒａは、上述した各抵抗素子１０乃至３０と、三枚の絶縁板９０乃至１１０（共に、マイカからなる）とにより構成されており、各抵抗素子１０乃至３０は、図５にて示すような直線状であって帯状の抵抗箔により形成されている。これら各抵抗素子１０乃至３０は、図４にて示すように、その各長手方向中間部位にて絶縁板９０を挟み込むように折り曲げられている。
【００１６】
絶縁板９０は、図４及び図６にて示すような平面形状からなり、この絶縁板９０は、抵抗素子１０の両折り曲げ部１１、１２間、抵抗素子２０の両折り曲げ部２１、２２間及び抵抗素子３０の両折り曲げ部３１、３２間の各電気的接触を防止する役割を果している。
ここで、各抵抗素子１０乃至３０の両折り曲げ部間の連結境界部は、絶縁板９０の一側縁に形成した各切り欠き部９１乃至９３に横ずれ不能に係合している。また、各抵抗素子１０乃至３０の両折り曲げ部は、折り曲げ部１２を除き、その各先端部にて、絶縁板９０の他側縁に形成した切り欠き部９４内まで延出している。
【００１７】
両絶縁板１００、１１０は、折り曲げた各抵抗素子１０乃至３０により絶縁板９０を挟んだ状態にて、これら各抵抗素子１０乃至３０及び絶縁板９０を挟持している。これにより、両絶縁板１００、１１０は、各抵抗素子１０乃至３０を外部から電気的に絶縁する役割を果している。なお、絶縁板１１０は、絶縁板９０の切り欠き部９４に対応して、切り欠き部１１１を備えている。
【００１８】
次に、ヒューズ４０及び各抵抗素子１０乃至３０の接続構成について説明すると、ヒューズ４０は、その一端４１にて、ターミナル７０ｃの上端に溶接されており、このヒューズ４０の他端４２は、下側放熱板８０の一側縁の中間部位を下側に切り起こした接続部８２に半田付けされている（図２及び図４参照）。
これにより、異常の過大電流が流れると、各抵抗素子１０乃至３０が過熱し、下側放熱板８０に熱が伝わり、ヒューズ４０の他端４２と接続部８２との間の半田が溶けて、ヒューズ４０が、そのばね作用により、他端４２にて接続部８２から開離することで、所謂ヒューズとしての役割を果たす。
【００１９】
また、抵抗素子１０の下側折り曲げ部１２は、絶縁板１１０の貫通孔部１１２を通して下側放熱板８０の溶接点８３へ溶接されている。また、抵抗素子１０の上側折り曲げ部１１及び抵抗素子２０の下側折り曲げ部２２は、絶縁板９０の切り欠き部９４、絶縁板１１０の切り欠き部１１１及び放熱板８０の切り欠き部８４を通してターミナル７０ｂの上端部に溶接されている。
【００２０】
また、抵抗素子２０の上側折り曲げ部２１及び抵抗素子３０の下側折り曲げ部３２は、絶縁板９０の切り欠き部９４、絶縁板１１０の切り欠き部１１１及び放熱板８０の切り欠き部８４を通してターミナル７０ａの上端に溶接されている。
また、抵抗素子３０の上側折り曲げ部３１は、絶縁板９０の切り欠き部９４、絶縁板１１０の切り欠き部１１１及び放熱板８０の切り欠き部８４を通してターミナル７０ｄの上端部に溶接されている。
【００２１】
以上により、ブロワモータＭとヒューズ４０及び各抵抗素子１０乃至３０が互いに直列接続されている。
このように構成した本実施形態においては、各抵抗素子１０乃至３０が互いに独立した直線状の帯形状となっていることから以下のような種々の作用効果を生ずる。
【００２２】
即ち、ブロワ抵抗器Ｒの各抵抗素子の形状が簡単となるとともに、ブロワ抵抗器Ｒの抵抗の形成が容易であってコストの低減に役立つ。
この場合、各抵抗素子１０乃至３０の抵抗値は、抵抗素子の幅、長さや厚さを変えることで容易に決定できるが、両放熱板６０、８０の間の良好なカシメ状態、各抵抗素子のずれや伝熱状態を考慮すると、各抵抗素子の厚さは同じであることが望ましい。
【００２３】
また、ブロワ抵抗器Ｒの抵抗値を変更したい場合にも、変更を必要としない抵抗素子とは無関係に、変更したい抵抗素子の形状のみを設計変更することで済む。このため、ブロワ抵抗器Ｒの抵抗素子の部分変更を迅速に行えるとともに設計変更のコストの低減にも役立つ。
また、各抵抗素子１０乃至３０がその通電による発熱や磁力で伸縮しても、各抵抗素子１０乃至３０の一部に熱応力が集中することはなく、各抵抗素子が部分的に破断することもない。
【００２４】
さらに、ブロワ抵抗器Ｒの外形寸法を小さくすることができ、かつ、ブロワモータＭの回転速度制御の段数の変更も幅広く行える。
なお、ブロワ抵抗器Ｒは、上述のごとく、エアダクト内にて上記ブロワの送風空気流を受ける位置に配設されている。このため、ブロワ抵抗器Ｒの抵抗素子が、送風空気流により良好に空冷され得る。
【００２５】
また、ブロワ抵抗器の抵抗素子に過電流が流れて異常発熱しても、ヒューズ４０がブロワモータＭと抵抗素子１０との間の接続を遮断するので、発火の原因になるような高温に到ることはない。
次に、上記実施形態の変形例を図７に基づいて説明する。
この変形例では、絶縁板９０Ａが、上記実施形態にて述べた絶縁板９０に代えて、採用されている。絶縁板９０Ａは、絶縁板９０において、各切り欠き部９１乃至９３に代えて各貫通孔部９５乃至９７を形成した構成となっている。
【００２６】
これにより、上記実施形態にて述べた各抵抗素子１０乃至３０の両折り曲げ部は、各貫通孔部９５乃至９７を介し、絶縁的に固定されている。その結果、各抵抗素子１０乃至３０の横ずれを上記実施形態と同様に確保できる。その他の構成及び作用効果は上記実施形態と同様である。
なお、本発明の実施にあたり、ブロワ抵抗器Ｒは、上記エアダクトの内部に限ることなく、当該エアダクトの外壁に装着するようにしてもよい。
【００２７】
また、本発明の実施にあたり、各抵抗素子１０乃至３０の帯状形状は、直線状に限ることなく、曲線状であってもよい。
また、本発明の実施にあたっては、各抵抗素子１０乃至３０は、上記実施形態のように折り曲げることなく、直線状のまま絶縁板９０に固定するようにして実施してもよい。この場合、各抵抗素子の長さを短縮する分だけ各抵抗素子の幅や厚さを増大させればよい。
【００２８】
また、本発明に実施にあたり、上壁６１は、基板５０の上壁段部５２に対向して並行である必要はなく、垂直や斜めに取り付けてもよい。
【図面の簡単な説明】
【図１】本発明の一実施形態を示すブロワ抵抗器の抵抗素子及びヒューズの接続回路を示す図である。
【図２】ブロワ抵抗器の平面図である。
【図３】ブロワ抵抗器の側面図である。
【図４】ブロワ抵抗器の分解斜視図である。
【図５】各抵抗素子の平面図である。
【図６】各抵抗素子により挟まれる絶縁板の平面図である。
【図７】上記実施形態の変形例を示す要部平面図である。
【符号の説明】
１０乃至３０…抵抗素子、９０…絶縁板、Ｍ…ブロワモータ。
【図１】
0003750247.tif 000002
【図２】
0003750247.tif 000003
【図３】
0003750247.tif 000004
【図４】
0003750247.tif 000005
【図５】
0003750247.tif 000006
【図６】
0003750247.tif 000007
【図７】
0003750247.tif 000008